(57)【要約】      （修正有）【課題】一人暮らし見守りシステムで、見守り対象者の生活動作状況の把握に支障を来たすことなく、センサ誤報を軽減させ、異常を早期検知できる見守りシステムを提供する。【解決手段】一人暮らしの見守りシステムにおいて、異常時通知の誤報を減らしながら、異常を早期検知させるため、見守り対象者宅内に設置された人感センサ２０が反応した時刻を全てサーバ装置１０に送信し、さらに事前にインターネット等から取得した異常判断付加情報を加味し、異常時か正常時かをサーバ装置が判断し通知する。比較のための付加情報とは、天候（日照時間、降水量）、室外温度、室外湿度、他見守り対象者のセンサ反応数である。【選択図】図１
2016218697.tif 000002
【特許請求の範囲】
【請求項１】
見守り対象者の住居内において、寝室以外で一番過ごす時間が長い部屋に人感センサを設置し、見守り対象者の動きを検知する度に、検知された時刻と人感センサに振られた固有ＩＤをサーバ装置に送信し、過去に送信された時刻とセンサ反応数を常時比較し、判断のための異常判断付加情報を加味しながら異常を検知した場合、事前に登録された見守り関係者宛のメールアドレス、ソーシャルネットワークサービス等に通知する機能を有するものであることを特徴とする見守りシステム。
【請求項２】
前記サーバ装置は見守り対象者毎に保存された人感センサの反応時刻を時間軸に並べて、事前に定めた時刻並びに時間間隔で人感センサ反応数をリアルタイム集計し、同じく事前に定めた過去の同時刻並びに時間間隔とで比較する機能を有するものであることを特徴とする見守りシステム。
【請求項３】
前記サーバ装置は、人感センサのセンサ反応数を比較し、異常を早期検知する際に、異常判断付加情報として、見守り対象者が住む地域と同地域に住む他見守り対象者もしくは、事前に定めた他見守り対象者の、過去の同時刻並びに時間間隔とでセンサ反応数を比較して誤報を軽減させながら、異常を早期検知できる機能を有するものであることを特徴とする見守りシステム。
【請求項４】
前記サーバ装置は、人感センサのセンサ反応数を比較し、異常を早期検知する際に、異常判断付加情報として、見守り対象者が住む地域の天候（日照時間、降水量）情報及び室外温度情報、室外湿度情報等の気象情報を加味して誤報を軽減させながら、異常を早期検知できる機能を有するものであることを特徴とする見守りシステム。
【発明の詳細な説明】
【技術分野】
【０００１】
本発明は、年齢、健康状態問わず一人で暮らす人間の見守りに関する。
【背景技術】
【０００２】
従来から、人感センサを用いた一人暮らし見守りシステムは知られている。
【先行技術文献】
【特許文献】
【０００３】
【特許文献１】特許第５１０８１６１号公報
【発明の概要】
【発明が解決しようとする課題】
【０００４】
しかしながら、人感センサを用いた一人暮らし見守りシステムは、正常時を異常状態と判断した誤報が多くみられる。それは受動赤外線検知器などの人感センサでは、赤外線が含まれている太陽光や検知エリア内に存在する何らかの熱源による温度変化、小動物等にも反応してしまうことに起因し、必ずしもセンサ反応が人体の動きを捉える事において正確ではない為である。
【０００５】
さらに、見守りシステムとして異常時通知の精度を上げようとすると、住居内の扉等に開閉検知器を人感センサとは別途に設置する必要があり、見守り対象者が日常生活する際に監視されているという違和感があるのと、見守りシステム自体がコスト的にも安価に提供できないといった問題がある。
【０００６】
また、赤外線が含まれている太陽光や検知エリア内に存在する何らかの熱源による温度変化、小動物等に反応した誤報を減らすため、人感センサの反応感度を低下させた場合、異常発生時の検知が出来ない事があり、見守りシステム全体の信頼性低下を招いているという問題がある。
【課題を解決するための手段】
【０００７】
上記課題を解決するために、見守り対象者の住居内において、寝室以外で一番過ごす時間が最も長い部屋に人感センサを設置し、見守り対象者の動きを検知する度に、検知された時刻と人感センサに振られた固有ＩＤをサーバ装置に送信し、見守り対象者の活動量を定量的に記録する。
【０００８】
前記サーバ装置は見守り対象者毎に保存された時刻をリアルタイムに時間軸に並べて、事前に定めた時刻並びに時間間隔で人感センサ反応数を集計し、同じく事前に定めた過去の同時刻と比較して、異常かどうかを判断する。
【０００９】
前記サーバ装置は、人感センサ反応数を比較し、異常を検知する際に、付加情報として、見守り対象者が住む地域と同地域に住む他見守り対象者もしくは、事前に定めた他見守り対象者とのセンサ反応数を比較して異常かどうかを判断する。
【００１０】
前記サーバ装置は、人感センサ反応数を比較し、異常を検知する際に、付加情報として、見守り対象者が住む地域の天候情報（日照時間、降水量）、室外温度ならびに室外湿度情報を加味して異常かどうかを判断する。
【００１１】
前記サーバ装置は、比較した結果、異常とみなした場合、事前に登録された見守り関係者宛のメールアドレス、ソーシャルネットワークサービス等に連絡通知をする。
【発明の効果】
【００１２】
本発明によれば、見守りシステムの異常時通知の精度が上がり、見守り対象者及び通知を受ける見守り関係者（見守り対象者を見守るべき関係者）も誤報による無駄な安否確認から開放される事となる。
【図面の簡単な説明】
【００１３】
【図１】代表図面
【図２】サーバ装置１０見守り管理フロチャート
【図３】異常検知比較フロチャート
【発明を実施するための形態】
【００１４】
本発明は、受動赤外線検知器等の人感センサを使った見守り安否確認システムの異常検知に関する発明である。つまり、人体の活動量として人感センサ反応数を事前に定めた時刻並びに時間間隔で集計比較し、さらに、異常判断付加情報を加味することにより誤報を低減しつつ、異常を早期検知する見守りシステムである。
【００１５】
以下、このアルゴリズムを実施するための具体的な形態として、図面を参照しながら一例をもって説明する。図１は、一人暮らしの見守りシステムを示したものである。見守りシステムは、サーバ装置１０と、見守り対象者宅に設置された人感センサ２０と、見守り関係者（見守り対象者を見守るべき関係者、異常通知配信先）が所有するスマートフォン３０をインターネット回線等の外部通信回線網でつなぐことによって構成されている。
【００１６】
サーバ装置１０は、見守り対象者宅の人感センサ２０から、インターネット回線等の外部通信回線網を介して送信されてきた情報を受け入れる。受け入れた情報は、サーバ装置１０内データベースに記録されるようになっている。また、サーバ装置１０は、ウェブ機能を有していて、見守り関係者に対して、当該見守り対象者のデータベースに蓄積された情報をインターネット回線等の外部通信回線網を介して公開できる。
【００１７】
人感センサ２０は、見守り対象者宅内の寝室以外で日中一番過ごされる時間の長い居間などの部屋に設置される。また、人感センサ２０はインターネット回線等の外部通信回線網に接続できる機能を有していて、見守り対象者の動きを検知した場合、直接サーバ装置１０に情報を送信する事が可能である。
【００１８】
見守り関係者（見守り対象者を見守るべき関係者）が見守りシステムを利用するためには、異常検知時の通知を受け取るためにスマートフォン３０が必要である。
【００１９】
続いて、見守りシステムを利用した見守りサービスのながれについて説明する。
【００２０】
見守りサービスを利用申込するのは、見守り関係者（見守り対象者を見守るべき関係者）である。見守り関係者は、見守りサービス契約時に事前に見守り対象者宅住所と異常通知配信先を予め、インターネット回線等の外部通信回線網を介してサーバ装置１０内のデータベースに登録しておく。
【００２１】
人感センサ２０には生涯変更不可能な固有ＩＤがふられており、見守り対象者宅に設置後に、人感センサ固有ＩＤと、見守り関係者の異常通知連絡先をサーバ装置１０内のデータベースでひも付けしておく。
【００２２】
異常通知配信先とは、サーバ装置１０が人感センサ２０から送信されてくる情報と、インターネットから取得した異常判断付加情報を加味して異常と判断した場合、通知するメールアドレス及びソーシャルネットワークサービス等のことである。
【００２３】
サーバ装置１０が、異常と判断した人感センサ２０の固有ＩＤを基に、データベースで異常通知連絡先を検索し、当該連絡先に通知する。以上が見守りシステムを利用した見守りサービスの流れである。
【実施例】
【００２４】
本発明の一実施例におけるサーバ装置１０が異常を監視する流れは、図２のフロチャートに記載する。
【００２５】
人感センサ２０は、センサ反応を確認後、反応があった時刻と人感センサの固有ＩＤをサーバ装置１０に送信する。（ステップ５１０）
【００２６】
サーバ装置１０は、人感センサ２０から常時データ受信を待っている状態であり、データを受信した場合（ステップ５２０、Ｙｅｓ）、サーバ装置１０内データベースにデータ値を保存する。（ステップ５３０）
【００２７】
サーバ装置１０内データベースに保存後、見守りサービス契約時に、見守り関係者が事前に登録した見守り対象者宅住所情報を元に同地域の現在時間の天候（日照時間、降水量）、温度、湿度情報をインターネット上にある情報提供サービスから取得し、同じくサーバ装置１０内データベースに保存する。（ステップ５４０）
【００２８】
次に、サーバ装置１０は、事前に見守り対象者毎に事前に定めた時間間隔並び時刻かどうかサーバ装置１０内の内蔵時計で確認する。時間でなかった場合（ステップ５５０、Ｎｏ）は人感センサ２０からデータがきたかどうかの判断状態に戻り（ステップ５２０）、データが人感センサ２０から送信されて来ない場合（ステップ５２０、Ｎｏ）は、ループ状態で再度、内蔵時計の確認をする。
【００２９】
サーバ装置の内蔵時計が事前に定めた時間間隔並びに時刻だった場合（ステップ５５０、Ｙｅｓ）、付加情報を加味した比較プロセスに進み、比較した結果一つでも異常と判断された場合（ステップ５６０、Ｙｅｓ）、その付加情報の重み付けを調整し異常フラグ値を確定する。（ステップ５７０）
【００３０】
異常フラグ値が見守り利用者毎に事前に定めたしきい値を超えているかどうか判定し、超過していた場合（ステップ５５０、Ｙｅｓ）、異常を見守り関係者の異常通知連絡先に登録されたメールアドレス並びにソーシャルネットワークサービスまで連絡する。しきい値以下の場合は人感センサ２０からデータがきたかどうかの判断状態に戻る。（ステップ５２０）
【００３１】
異常を連絡した場合、その後、比較する時間間隔を短くしたり、次の確認時刻を確定する。場合によっては異常フラグのしきい値を補正する。（ステップ５９０）、以上がサーバ装置１０が異常を監視する流れである。
【００３２】
本発明の一実施例におけるサーバ装置１０が付加情報を加味して異常を判断する流れは、図３のフロチャートに記載する。
【００３３】
最初の比較プロセスとして、サーバ装置１０内データベースに保存されている人感センサ２０のセンサ反応数を、見守り対象者にひも付けされた人感センサ２０の固有ＩＤと事前に定めた過去の時刻並びに時間間隔で抽出し、現在時間のそれと比較して、少ないもしくは等しい場合と、事前に定めた値より多い場合は、異常と見なして（ステップ６１０、Ｙｅｓ）、異常フラグを加算する。（ステップ６６０）一方、上記以外は、次の比較プロセスに進む。（ステップ６１０、Ｎｏ）
【００３４】
次の比較プロセスとして、サーバ装置１０内データベースに保存されている天候情報（日照時間、降水量）を事前に定めた過去の時刻並びに時間間隔で抽出し、現在時間のそれと比較して、小さいもしくは等しい場合と、事前に定めた値より大きい場合は、異常と見なして（ステップ６２０、Ｙｅｓ）、異常フラグを加算する。（ステップ６７０）一方、上記以外は、次の比較プロセスに進む。（ステップ６２０、Ｎｏ）
【００３５】
次の比較プロセスとして、サーバ装置１０内データベースに保存されている温度情報を事前に定めた過去の時刻並びに時間間隔で抽出し、現在時間のそれと比較して、小さいもしくは等しい場合と、事前に定めた値より大きい場合は、異常と見なして（ステップ６３０、Ｙｅｓ）、異常フラグを加算する。（ステップ６８０）一方、上記以外は、次の比較プロセスに進む。（ステップ６３０、Ｎｏ）
【００３６】
次の比較プロセスとして、サーバ装置１０内データベースに保存されている湿度情報を事前に定めた過去の時刻並びに時間間隔で抽出し、現在時間のそれと比較して、小さいもしくは等しい場合と、事前に定めた値より大きい場合は、異常と見なして（ステップ６４０、Ｙｅｓ）、異常フラグを加算する。（ステップ６９０）一方、上記以外は、次の比較プロセスに進む。（ステップ６４０、Ｎｏ）
【００３７】
最後の比較プロセスとして、サーバ装置１０内データベースに保存されている人感センサ２０のセンサ反応数を見守り対象者にひも付けされた人感センサ２０の固有ＩＤと事前に定めた過去の時刻並びに時間間隔で抽出し、同じく、事前に定めた他の見守り対象者複数のそれとそれぞれ比較して、少ないもしくは等しい場合と、事前に定めた値より多い場合は、異常と見なして（ステップ６５０、Ｙｅｓ）、異常フラグを加算する。（ステップ７００）一方、上記以外は、比較プロセスを終了する。（ステップ７１０）、以上がサーバ装置１０が付加情報を加味して異常を判断する流れである。
【産業上の利用可能性】
【００３８】
以上のように、本発明による一人暮らし見守りシステムは、異常時通知の精度が上がり、見守り対象者及び通知を受ける見守り関係者（見守り対象者を見守るべき関係者）も誤報による無駄な安否確認から開放される事となり、有効な遠隔地からの見守りを可能とするものとして有用であり、特にこれからの高齢者対策システムとして有効であり産業上の利用可能性は高い。
【符号の説明】
【００３９】
１０  サーバ装置
２０  人感センサ
３０  スマートフォン
４０  異常判断付加情報提供会社ウェブ
【図１】
2016218697.tif 000003
【図２】
2016218697.tif 000004
【図３】
2016218697.tif 000005